【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
管状部材とその接合相手部材とをボルトとナットで接合する際に管状部材の中空部内に納めて使用するナット保持部材であって、
前記管状部材は前記接合相手部材とボルト接合するためのボルト孔を備えており、
ナット保持部材の外周面の形状は、前記管状部材へ内側から接して、同管状部材の管軸に対して直交する方向への移動が制限される形状であり、
同ナット保持部材の外周面に、ナットが回り止め状態に嵌め込まれるナット嵌め込み部が設けられていることを特徴とする、管状部材のボルト接合に用いるナット保持部材。
【請求項２】
管状部材とその接合相手部材とをボルトとナットで接合する際に管状部材の中空部内に納めて使用するナット保持部材であって、
前記管状部材は前記接合相手部材とボルト接合するためのボルト孔を備えており、
ナット保持部材の外周面の形状は、前記管状部材へ内側から接して、同管状部材の管軸に対して直交する方向への移動が制限される形状で、且つ当該ナット保持材に保持されたナットを、同管状部材のボルト孔と当該管状部材の長手方向に関して位置を一致させる位置決め手段を備えた形状であり、
同ナット保持部材の外周面に、前記管状部材のボルト孔と一致する配置で、ナットが回り止め状態に嵌め込まれるナット嵌め込み部が設けられており、
前記ナット嵌め込み部には、嵌め込まれたナットが抜け外れないように保持する係止部を備えていることを特徴とする、管状部材のボルト接合に用いるナット保持部材。
【請求項３】
前記接合用相手部材は管状部材の外周側に配置されていることを特徴とする、請求項１又は２に記載した管状部材のボルト接合に用いるナット保持部材。
【請求項４】
ナット保持部材に保持されたナットを、管状部材のボルト孔と管状部材の長手方向に関して一致させる位置決め手段として、ナット保持部材の外周面に、管状部材に設けた位置決め部へ挿し入れることが可能に突設させた位置決めストッパを備えていることを特徴とする、請求項２に記載した管状部材のボルト接合に用いるナット保持部材。
【請求項５】
管状部材には、その長手方向に連続する開口隙間が形成されており、
ナット保持部材の外周面には、ナット保持部材のナットを管状部材のボルト孔と一致させる、ナット保持部材の周方向に関する位置決め手段として、前記開口隙間へ挿し入れることが可能に突設させたスライドガイドを備えていることを特徴とする、請求項２又は４に記載した管状部材のボルト接合に用いるナット保持部材。
【請求項６】
ナット保持部材は、管状部材の中空部内へ挿入する際、又は同中空部から取り外す際に使用する掴み部を備えていることを特徴とする、請求項１又は２又は４又は５に記載した管状部材のボルト接合に用いるナット保持部材。
【請求項７】
ナット保持部材は、管状部材の中空部内へ挿入する向きを確認させる目印を設けた掴み部を備えていることを特徴とする、請求項６に記載した管状部材のボルト接合に用いるナット保持部材。
【請求項８】
ナット保持部材のナット嵌め込み部は、ナットの外径よりも若干大きく形成され、ナット嵌め込み部へ嵌め込まれたナットは、ナット嵌め込み部の中で回らない程度に緩く保持されていることを特徴とする、請求項１、２又は４ないし７のいずれか一に記載した管状部材のボルト接合に用いるナット保持部材。
【請求項９】
ナット保持部材のナット嵌め込み部には、少なくともナットの外周面と接する範囲に、ナットを保持する形状で金属板が埋め込まれていることを特徴とする、請求項１、２又は４ないし８のいずれか一に記載した管状部材のボルト接合に用いるナット保持部材。
【請求項１０】
ナット保持部材は、非発泡の合成樹脂、又は低発泡ないし中発泡の発泡樹脂で形成されていることを特徴とする、請求項１、２又は４ないし９のいずれか一に記載した管状部材のボルト接合に用いるナット保持部材。
【請求項１１】
上記請求項１、２又は４ないし１０のいずれか一に記載したナット保持部材を使用して管状部材とその相手側部材とがボルト接合された構造であって、
前記ナット保持部材が管状部材の中空部内へ挿入されて、同ナット保持部材のナット嵌め込み部へ嵌め込まれた各ナットが管状部材の各ボルト孔と合致する位置に位置決めされており、
当該管状部材の外周面へ、接合相手部材が接合するべき態様、配置に組み合わされ、且つ同接合相手部材のボルト孔が管状部材の前記ボルト孔と一致する配置とされて、同ボルト孔の外方から内向きに挿入したボルトが、管状部材のボルト孔を通じてナット保持部材のナットへねじ込まれ接合が行われていることを特徴とする、管状部材のボルト接合構造。
【請求項１２】
管状部材の管壁の長手方向に連続する開口隙間が形成されており、前記開口隙間へナット保持部材の外周面に突き出るスライドガイドを差し入れて管状部材の周方向に関する位置決めが行われ、同ナット保持部材の外周面へ突設された位置決めストッパを管状部材の管状部材の長手方向に設けられた位置決め部へ差し入れて同ナット保持部材の各ナットが管状部材の対応するボルト孔との位置合わせが行われ、前記ボルト孔を通じて挿入したボルトが、ナット保持部材のナットへねじ込まれて接合が行われていることを特徴とする、請求項１１に記載した管状部材のボルト接合構造。
【手続補正２】
【補正対象書類名】明細書
【補正対象項目名】０００９
【補正方法】変更
【補正の内容】
【０００９】
上記課題を解決するための手段として、請求項１に記載した発明に係る管状部材のボルト接合に用いるナット保持部材は、
管状部材とその接合相手部材とをボルトとナットで接合する際に管状部材の中空部内に納めて使用するナット保持部材であって、
前記管状部材は前記接合相手部材とボルト接合するためのボルト孔を備えており、
ナット保持部材の外周面の形状は、前記管状部材へ内側から接して、同管状部材の管軸に対して直交する方向への移動が制限される形状であり、
同ナット保持部材の外周面に、ナットが回り止め状態に嵌め込まれるナット嵌め込み部が設けられていることを特徴とする。
請求項２に記載した発明に係る管状部材のボルト接合に用いるナット保持部材は、
管状部材とその接合相手部材とをボルトとナットで接合する際に管状部材の中空部内に納めて使用するナット保持部材であって、
前記管状部材は前記接合相手部材とボルト接合するためのボルト孔を備えており、
ナット保持部材の外周面の形状は、前記管状部材の内面へ内側から接して、同管状部材の管軸に対して直交する方向への移動が制限される形状で、且つ当該ナット保持材に保持されたナットを、同管状部材のボルト孔と当該管状部材の長手方向に関して位置を一致させる位置決め手段を備えた形状であり、
同ナット保持部材の外周面に、前記管状部材のボルト孔と一致する配置で、ナットが回り止め状態に嵌め込まれるナット嵌め込み部が設けられており、
前記ナット嵌め込み部には、嵌め込まれたナットが抜け外れないように保持する係止部を備えていることを特徴とする。
【手続補正３】
【補正対象書類名】明細書
【補正対象項目名】００１０
【補正方法】変更
【補正の内容】
【００１０】
請求項３に記載した発明は、請求項１又は２に記載した管状部材のボルト接合に用いるナット保持部材において、
前記接合相手部材は、前記管状部材の外周側に配置されていることを特徴とする。
請求項４に記載した発明は、請求項２に記載した管状部材のボルト接合に用いるナット保持部材において、
ナット保持部材に保持されたナットを、管状部材のボルト孔と管状部材の長手方向に関して一致させる位置決め手段として、ナット保持部材の外周面に、管状部材に設けた位置決め部へ挿し入れることが可能に突設させた位置決めストッパを備えていることを特徴とする。
請求項５に記載した発明は、請求項２又は４に記載した管状部材のボルト接合に用いるナット保持部材において、
管状部材には、その長手方向に連続する開口隙間が形成されており、
ナット保持部材の外周面には、ナット保持部材のナットを管状部材のボルト孔と一致させる、ナット保持部材の周方向に関する位置決め手段として、前記開口隙間へ挿し入れることが可能に突設させたスライドガイドを備えていることを特徴とする。
【手続補正４】
【補正対象書類名】明細書
【補正対象項目名】００１１
【補正方法】変更
【補正の内容】
【００１１】
請求項６に記載した発明は、請求項１又は２又は４又は５に記載した管状部材のボルト接合に用いるナット保持部材において、
ナット保持部材は、管状部材の中空部内へ挿入する際、又は同中空部から取り外す際に使用する掴み部を備えていることを特徴とする。
請求項７に記載した発明は、請求項６に記載した管状部材のボルト接合に用いるナット保持部材において、
ナット保持部材は、管状部材の中空部内へ挿入する向きを確認させる目印を設けた掴み部を備えていることを特徴とする。
【手続補正５】
【補正対象書類名】明細書
【補正対象項目名】００１２
【補正方法】変更
【補正の内容】
【００１２】
請求項８に記載した発明は、請求項１、２又は４ないし７のいずれか一に記載した管状部材のボルト接合に用いるナット保持部材において、
ナット保持部材のナット嵌め込み部は、ナットの外径よりも若干大きく形成され、ナット嵌め込み部へ嵌め込まれたナットは、ナット嵌め込み部の中で回らない程度に緩く保持されていることを特徴とする、。
請求項９に記載した発明は、請求項１、２又は４ないし８のいずれか一に記載した管状部材のボルト接合に用いるナット保持部材において、
ナット保持部材のナット嵌め込み部には、少なくともナットの外周面と接する範囲に、ナットを保持する形状で金属板が埋め込まれていることを特徴とする。
請求項１０に記載した発明は、請求項１、２又は４ないし９のいずれか一に記載した管状部材のボルト接合に用いるナット保持部材において、
ナット保持部材は、非発泡の合成樹脂、又は低発泡ないし中発泡の発泡樹脂で形成されていることを特徴とする。
【手続補正６】
【補正対象書類名】明細書
【補正対象項目名】００１３
【補正方法】変更
【補正の内容】
【００１３】
請求項１１に記載した発明に係る管状部材のボルト接合構造は、
上記請求項１、２又は４ないし１０のいずれか一に記載したナット保持部材を使用して管状部材とその相手側部材とがボルト接合された構造であって、
前記ナット保持部材が管状部材の中空部内へ挿入されて、同ナット保持部材のナット嵌め込み部に嵌め込まれた各ナットが管状部材の各ボルト孔と合致する位置に位置決めされており、
当該管状部材の外周面へ、接合相手部材が接合するべき態様、配置に組み合わされ、且つ同接合相手部材のボルト孔が管状部材の前記ボルト孔と一致する配置とされて、同ボルト孔の外方から内向きに挿入したボルトが、管状部材のボルト孔を通じてナット保持部材のナットへねじ込まれ接合が行われていることを特徴とする。
請求項１２に記載した発明は、請求項１１に記載した管状部材のボルト接合構造において、
管状部材の管壁の長手方向に連続する開口隙間が形成されており、前記開口隙間へナット保持部材の外周面に突き出るスライドガイドを差し入れて管状部材の周方向に関する位置決めが行われ、同ナット保持部材の外周面へ突設された位置決めストッパを管状部材の管状部材の長手方向に設けられた位置決め部へ差し入れて同ナット保持部材の各ナットが管状部材の対応するボルト孔との位置合わせが行われ、前記ボルト孔を通じて挿入したボルトが、ナット保持部材のナットへねじ込まれて接合が行われていることを特徴とする。
【手続補正７】
【補正対象書類名】明細書
【補正対象項目名】００１４
【補正方法】変更
【補正の内容】
【００１４】
請求項１〜１０に記載した発明に係るナット保持部材は、管状部材とその接合相手部材とのボルト接合に必要な個数のナットを、管状部材が備えるボルト孔と一致する配置に、言わば３次元方向に任意所望の向きに保持させてボルト接合の用に供することができる。各ナットは、ナット嵌め込み部に回り止め状態に、且つ係止部で抜け外れることのないように保持されるから、ボルト接合を能率良く確実に行うことができる。
また、ナット保持部材は、その外周面の形状として位置決め手段を備えているから、管状部材の中空部内へ納めて、管状部材のボルト孔に対する各ナットの位置を一致させること、および確定した位置の保持が簡単に確実に行われ、使い勝手が良い。
特に、ナット保持部材が具備する位置決め手段である位置決めストッパ、或いはスライドガイドを働かせることで、ナット保持部材が保持する各ナットを、管状部材の対応するボルト孔との位置合わせを機械的に確実に決めることができ、管状部材と接合相手部材とのボルト接合を容易、確実に行うことができ使い勝手が良い。
【手続補正８】
【補正対象書類名】明細書
【補正対象項目名】００１６
【補正方法】変更
【補正の内容】
【００１６】
上記のナット保持部材を使用して実施する、請求項１１、１２に記載した管状部材のボルト接合構造は、ボルト接合の位置に予めボルト孔が設けた管状部材の中空部内へ上記のナット保持部材を挿入し、その各ナットを管状部材の対応するボルト孔と合致させるだけの位置決め操作のみで、ボルト孔の外から内向きにボルトを通し、ナット保持部材の該当するナットへねじ込む作業として実施でき、管状部材のボルト接合の目的を簡単に能率良く達成でき、格別の技術的熟練を要しない。
勿論、本発明のボルト接合構造は、管状部材の外周面へ組み付けて接合する接合相手部材が柵用支柱のブラケットであるか、同柵用支柱へ取り付けたジョイントパイプ（インナースリーブ）の外周面へ嵌め合わせるビームパイプであるか、或いは同径の管状部材同士を一連に突き合わせ接合する場合、又は支柱の上端へキャップを取り付ける場合等々の別なく、汎用的に実施でき至便である。
【手続補正９】
【補正対象書類名】明細書
【補正対象項目名】００１８
【補正方法】変更
【補正の内容】
【００１８】
請求項１に記載したナット保持部材５は、管状部材３とその接合相手部材とをボルト・ナットで接合する際に管状部材３の中空部内に納めて使用するものである。
前記管状部材３は、前記接合相手部材とボルト接合するためのボルト孔３ａを備え、
ナット保持部材５の外周面の形状は、前記管状部材３の内面へ内側から接して、同管状部材３の管軸に対して直交する方向への移動が制限される形状である。
前記ナット保持部材５の外周面に、前記管状部材３のボルト孔３ａと一致する配置で、ナット６が回り止め状態に嵌め込まれるナット嵌め込み部５１が設けられている。
なお、上記でいう「移動が制限される」とは、管状部材３の内周面の各方向への移動が制限されるいうことであるが、管状部材３の中空部内へ納める挿入に必要なガタつきは許容される意味である。また、位置決め手段としての位置決めストッパ５５を具備する場合は、管状部材３の位置決め部３ｃから位置決めストッパ５５が外れないことを限度とするガタつきである。同様にスライドガイド５４を具備する場合には、同スライドガイド５４が管状部材３の開口隙間３ｂから外れないことを限度とするガタつきであることを意味する。